(57)【要約】【課題】光学機器による入力を必要としない暗号化された所定情報の取得システムを提供することにある。【解決手段】表裏両面の内、一方の面に複数の突起部３ｂを備え、該突起部３ｂの数と設置位置を用いて所定情報が暗号化されたカード３と、カード３に於いて突起部３ｂが設置された面と略同一の形状及びと面積を有し、突起部３ｂが押圧された際に、突起部３ｂの押圧位置を検出するタッチパネル９と、所定のデータを記憶するメモリ１２と、タッチパネル９によって検出された突起部３ｂの押圧位置に基づいて座標データを形成し、該座標データを用いて所定処理を施すことによって復号データを形成し、前記復号データの種類に応じて所定の出力処理を実行する情報取得システム。【選択図】      図１
2006185338.tif 000002
【特許請求の範囲】
【請求項１】
表裏両面の内、一方の面に複数の突起部を備える情報記録カードであって、前記突起部の数と設置位置を用いて所定情報が符号化された情報記録カードと、
前記情報記録カードに於ける前記突起部が備えられた面と略同一の形状及びと面積を有するタッチパネルであって、前記突起部が押圧された際に、前記突起部の押圧位置を検出するタッチパネルと、
所定のデータを記憶する記憶部と、
前記タッチパネルによって検出された前記突起部の押圧位置に基づいて座標データを形成し、前記座標データを用いて所定処理を施すことによって復号データを形成し、前記復号データによって前記所定情報を取得し、前記記憶部に記憶させる制御部と、を備えることを特徴とする情報取得システム。
【請求項２】
前記情報取得システムは、時間を計測可能なタイマカウンタをさらに備えており、
前記制御部は、前記タッチパネルによって所定時間内に検出された前記突起部の押圧位置をまとめて前記座標データを形成することを特徴とする、請求項１に記載の情報取得システム。
【請求項３】
前記情報取得システムは、前記突起部を前記タッチパネルに押圧させる入力補助具をさらに備えており、
前記入力補助具は、ユーザが把持可能な把持部と、前記情報記録カードに於ける前記突起部の設置面と反対の面を押圧する押圧部とを備えていることを特徴とする、請求項１乃至２の何れか一つに記載の情報取得システム。
【請求項４】
前記タッチパネルは、複数の押圧を同時に検出可能であることを特徴とする、請求項１乃至３の何れか一つに記載の情報取得システム。
【請求項５】
前記情報記録カードは、前記突起部の設置面に於いて所定数に分割された夫々の領域に、前記タッチパネルとの押圧面の面積が異なる前記突起部を最大１つ形成する構成を有し、前記所定情報の符号化に際して前記突起部の押圧面の面積がさらに用いられており、
前記制御部は、前記情報記憶カード上に於いて所定数に分割された領域に対応させて、前記タッチパネルによって検出される押圧位置の座標を所定数の座標領域に分割し、前記座標領域の夫々に於いて検出される押圧位置の座標数に基づいて面積データを形成し、前記復号データの形成に際して前記面積データをさらに用いることを特徴とする、請求項４に記載の情報取得システム。
【請求項６】
前記情報記録カードは、高さの異なる前記突起部を有し、前記所定情報の符号化に際してさらに前記突起部の高さが用いられており、
前記タッチパネルは、押圧位置の圧力を検出可能な圧力センサを備えており、
前記制御部は、前記圧力センサによって検出される前記突起部の押圧位置に於ける圧力に基づいて圧力データを形成し、前記復号データの形成に際して前記圧力データをさらに用いることを特徴とする、請求項４乃至５の何れか一つに記載の情報取得システム。
【請求項７】
前記情報取得システムは、２面に開閉可能な筐体をさらに備えており、  
前記筐体は、閉じた状態で互いに対向する２面の何れか一方に前記タッチパネルを備えており、前記閉じた状態で前記タッチパネルの設置面と対向する面との間隔が、前記突起部の高さを含めた前記情報記録カードの厚みよりも小さいことを特徴とする、請求項４乃至６の何れか一つに記載の情報取得システム。
【請求項８】
前記タッチパネルは、単数の押圧ごとに検出可能であることを特徴とする、請求項１乃至３の何れか一つに記載の情報取得システム。
【請求項９】
前記情報記録カードは、前記突起部の設置面に於いて、水平方向及び垂直方向の内、少なくとも何れか一方向に於いて、同一線上に前記突起部を複数設けない構成を備えており、
前記入力補助器具は、一定方向に回転稼動するローラー状の前記押圧部を備えていることを特徴とする、請求項８に記載の情報取得システム。
【請求項１０】
表裏両面の内、一方の面に複数の突起部を備え、前記突起部の数と設置位置を用いて所定情報が符号化された情報記録カードであって、押圧位置を検出可能なタッチパネルに前記突起部が押圧されることによって、符号化された所定情報が入力され、所定の復号処理によって復号化されることを特徴とする情報記録カード。
【請求項１１】
表裏両面の内、一方の面に複数の突起部を備え、前記突起部の数と設置位置を用いて所定情報が符号化された情報記録カードの前記突起部が、前記情報記録カードに於ける前記突起部が備えられた面と略同一の形状及びと面積を有するタッチパネルによって押圧された際に、前記突起部の押圧位置に関する検出値を取得する押圧位置検出手段と、
前記押圧位置に関する検出値に基づいて前記タッチパネルに於ける押圧位置の座標データを形成する座標データ形成手段と、
前記座標データを用いて所定の処理を施すことによって復号データを形成する復号データ形成手段と、
前記復号データによって、前記所定情報を出力するデータ出力手段として、コンピュータを機能させることを特徴とするプログラム。
【請求項１２】
前記座標データ形成手段は、所定時間内に前記タッチパネルによって検出された前記突起部の複数の押圧位置をまとめて前記座標データを形成することを特徴とする、請求項１１に記載のプログラム。
【発明の詳細な説明】
【技術分野】
【０００１】
本発明は、タッチパネル及びカードを使用した情報取得システム、特に、タッチパネル及び複数の突起部を備えるカードを使用した情報取得システムに関する。
【背景技術】
【０００２】
従来から、所定の情報を記録可能なシステムとして、バーコードシステムが普及している。バーコードは、太さの異なる黒色の棒状部と、空白部分の組み合わせによって、情報を符号化したものであり、該コードをスキャナで光学的に読み取って、該符号化された情報を復号することによって、バーコードに符号化する前の情報を取得することが可能となる。該バーコードシステムを使用して符号化される情報量を増加させるためには、バーコードの桁数を増加させる必要が生じる。しかし、桁数の増加によってバーコード配列が長くなり、スキャナによる読み取りが困難になる等の問題が発生する。現在、こうした問題を解決すべく、バーコードに代わる情報の符号化システムとして、複数の黒色の矩形セルが所定の配列規則に従って２次元配置された２次元コードシステムが普及し始めている。２次元コードは、例えばビデオカメラ等の光学機器によって読み取りが可能である。
【発明の開示】
【発明が解決しようとする課題】
【０００３】
上述の通り、２次元コードシステムを使用するためには、２次元コードを読み取るための光学機器が必要となる。例えば、光学機器を備えていないコンピュータ等で該２次元コードを読み取るためには、新たに光学機器を設置する必要がある。また、２次元コードシステムを読み取り可能な光学機器を備えた機器を製造する場合、製造コストが嵩む。
【０００４】
したがって、本発明の目的は、光学機器による入力を必要としない符号化された所定情報の取得システムを提供することにある。
【課題を解決するための手段】
【０００５】
第１発明に係る情報取得システムは、表裏両面の内、一方の面に複数の突起部を備える情報記録カードであって、前記突起部の数と設置位置を用いて所定情報が符号化された情報記録カードと、前記情報記録カードに於ける前記突起部が備えられた面と略同一の形状及びと面積を有するタッチパネルであって、前記突起部が押圧された際に、前記突起部の押圧位置を検出するタッチパネルと、所定のデータを記憶する記憶部と、前記タッチパネルによって検出された前記突起部の押圧位置に基づいて座標データを形成し、前記座標データを用いて所定処理を施すことによって復号データを形成し、前記復号データによって前記所定情報を取得し、前記記憶部に記憶させる制御部と、を備えることを特徴とする。
この情報取得システムによれば、押圧位置を検出可能なタッチパネルを用いることによって、突起部の数と設置位置を用いて情報記録カードに符号化された所定情報を入力し、復号化することが可能である。したがって、入力装置としてのタッチパネルを符号化された情報の入力に於いても使用することが出来るので、従来の２次元コードシステムに必要な光学機器を新たに設置する必要がない。
【０００６】
第２発明に係る情報取得システムは、第１発明に係る情報取得システムに於いて、時間を計測可能なタイマカウンタをさらに備えており、前記制御部は、前記タッチパネルによって所定時間内に検出された前記突起部の押圧位置をまとめて前記座標データを形成することを特徴とする。
この情報取得システムによれば、タッチパネルによって所定時間内に検出された複数の押圧位置をまとめて座標データを形成することが出来るので、例えばタッチパネルが同時に複数の押圧を検出することが出来ない場合や、タッチパネルが複数の押圧を同時に検出することは出来るが、情報記録カードに設置された突起部を同時にすべてタッチパネルに押圧することが出来ない場合に、押圧位置の全体情報を取得することが可能となる。
【０００７】
また、この情報取得システムは、第１乃至第２発明の何れか一つに係る情報取得システムに於いて、前記情報記録カードに符号化された前記所定情報は画像データを含んでおり、前記制御部は、さらに、前記所定情報が画像データの場合に、前記画像データを表示部に出力させることを特徴とする。
この情報取得システムによれば、情報記録カードに符号化されて記録された所定情報が画像データを含む場合に、表示部に該画像データを自動的に出力することが出来るので、非常に利便性が高い。なお、画像データとは、文字や図形に関する静止画データ、及び、動画データを含むものとする。
【０００８】
また、この情報取得システムは、第１乃至第２発明の何れか一つに係る情報取得システムに於いて、前記情報記録カードに符号化された前記所定情報は音声データを含んでおり、前記制御部は、さらに、前記所定情報が音声データの場合に、前記音声データを音声出力部に出力させることを特徴とする。
この情報取得システムによれば、情報記録カードに符号化されて記録された所定情報が音声データを含む場合に、音声出力部に該音声データを自動的に出力することが出来るので、非常に利便性が高い。なお、音声データとは、音声や音楽に関するデータを含むものとする。
【０００９】
また、この情報取得システムは、第１乃至第２発明の何れか一つに係る情報システムに於いて、インターネット等のネットワークに接続可能な通信部をさらに備えており、前記情報記録カードに符号化された前記所定情報はＵＲＬ情報を含んでおり、前記制御部は、さらに前記ＵＲＬ情報に基づいて、前記通信部を介して前記ＵＲＬ情報で指定される接続先と通信し、所定の画像及び／又は音声を取得して表示部及び／又は音声出力部に出力させることを特徴とする。
この情報取得システムによれば、情報記録カードに符号化されて記録された所定情報がＵＲＬ情報を含む場合に、通信部を介してＵＲＬ情報で指定される接続先と通信し、所定の画像及び／又は音声を取得して表示部及び／又は音声出力部に出力させることが可能であるので非常に利便性が高い。例えば、インターネット等のネットワークにアクセスし、該ＵＲＬに対応する所定のウェブサイトを表示部に自動的に出力することが可能であるので、非常に利便性が高い。なお、ＵＲＬ情報とは、インターネット等のネットワーク上に分散しているファイル等の情報資源の格納場所を一意に指定する情報である。
【００１０】
第３発明に係る情報取得システムは、第１乃至第２発明の何れか一つに係る情報取得システムに於いて、前記突起部を前記タッチパネルに押圧させる入力補助具をさらに備えており、前記入力補助具は、ユーザが把持可能な把持部と、前記情報記録カードに於ける前記突起部の設置面と反対の面を押圧する押圧部とを備えていることを特徴とする。
この情報取得システムによれば、情報記録カードに設置された突起部をタッチパネルに押圧する際に、入力補助具を使用することにより、タッチパネルに突起部を確実に押圧することが出来る。
【００１１】
第４発明に係る情報取得システムは、第１乃至３発明の何れか一つに係る情報取得システムに於いて、前記タッチパネルは、複数の押圧を同時に検出可能であることを特徴とする。
この情報取得システムによれば、複数の押圧を同時に検出可能なタッチパッドを使用することによって、情報記録カードに設置された複数の突起部の押圧位置をすべて同時に検出することが可能となり、非常に利便性が高い。
【００１２】
第５発明に係る情報取得システムは、第４発明に係る情報取得システムに於いて、前記情報記録カードは、前記突起部の設置面に於いて所定数に分割された夫々の領域に、前記タッチパネルとの押圧面の面積が異なる前記突起部を最大１つ形成する構成を有し、前記所定情報の符号化に際して前記突起部の押圧面の面積がさらに用いられており、前記制御部は、前記情報記憶カード上に於いて所定数に分割された領域に対応させて、前記タッチパネルによって検出される押圧位置の座標を所定数の座標領域に分割し、前記座標領域の夫々に於いて検出される押圧位置の座標数に基づいて面積データを形成し、前記復号データの形成に際して前記面積データをさらに用いることを特徴とする。
この情報取得システムによれば、同時に複数の押圧を検出可能なタッチパネルを使用する場合に、タッチパネルに押圧される突起部の面積をさらに用いて情報記録カードに符号化された所定情報を入力し、復号化することが可能となる。したがって、情報記録カードに設けられた突起部の数と設置位置に加えて、タッチパネルに押圧される突起部の面積を符号化に使用することが出来るので、より多くの情報を符号化することが可能となる。
【００１３】
第６発明に係る情報取得システムは、第４乃至第５発明の何れか一つに係る情報取得システムに於いて、前記情報記録カードは、高さの異なる前記突起部を有し、前記所定情報の符号化に際してさらに前記突起部の高さが用いられており、前記タッチパネルは、押圧位置の圧力を検出可能な圧力センサを備えており、前記制御部は、前記圧力センサによって検出される前記突起部の押圧位置に於ける圧力に基づいて圧力データを形成し、前記復号データの形成に際して前記圧力データをさらに用いることを特徴とする。
【００１４】
この情報取得システムによれば、同時に複数の押圧を検出可能であって、さらに、押圧位置の圧力を検出可能な圧力センサを備えたタッチパネルを使用するので、高さの異なる突起部を備えた情報記録カードの突起部を該タッチパネルに押圧する場合、高さの低い突起部が押圧される際の圧力に比して、高さの高い突起部が押圧される際の圧力が大きくなる。このように、高さの異なる突起部を押圧した場合、高さの違いによって押圧時の圧力が異なって検出されるので、情報記録カードに記録される所定情報の符号化に際して、さらに押圧時の圧力を使用することが出来る。これにより、より多くの情報を符号化することが可能となる。
【００１５】
第７発明に係る情報取得システムは、第４乃至第６発明の何れか一つに係る情報取得システムに於いて、前記情報取得システムは、２面に開閉可能な筐体をさらに備えており、前期筐体は、閉じた状態で互いに対向する２面の何れか一方に前記タッチパネルを備えており、前記閉じた状態で前記タッチパネルの設置面と対向する面との間隔が、前記突起部の高さを含めた前記情報記録カードの厚みよりも小さいことを特徴とする。
【００１６】
この情報取得システムによれば、２面に開閉可能な筐体に備えられたタッチパネル上に情報記録カードを設置し、該筐体を閉じることによって、一度に該情報記録カードに設けられた突起部をタッチパネルに押圧することが可能となる。したがって、突起部の押圧を複数回繰り返すことなく、すべての突起部の押圧を容易に実行することが出来る。
【００１７】
第８発明に係る情報取得システムは、第１乃至第３発明の何れか一つに係る情報取得システムに於いて、前記タッチパネルは、単数の押圧を同時に検出可能であることを特徴とする。
単数の押圧位置ごとに検出可能なタッチパネルを用いた場合にも、所定時間内に検出する個々の押圧位置をまとめて座標データを形成することにより、押圧位置の全体情報を取得することができる。従って、タッチパネルが同時に複数の押圧を検出することができない場合、例えば、単数の押圧位置ごとに検出可能なアナログ方式の抵抗膜タッチパネルを用いる場合にも、所定時間内に検出する押圧位置をまとめて座標データを形成することにより、押圧位置の全体情報を取得することができる。この情報取得システムでは、単数の押圧を同時に検出可能なタッチパネルを用いるので、例えば、アナログ方式の抵抗膜式タッチパネル等、市場に広く普及しているタッチパネルを使用することができ、非常に汎用性が高い。
【００１８】
第９発明に係る情報取得システムは、第８発明に係る情報取得システムに於いて、前記情報記録カードは、前記突起部の設置面に於いて、水平方向及び垂直方向の内、少なくとも何れか一方向に於いて、同一線上に前記突起部を複数設けない構成を備えており、前記入力補助器具は、一定方向に回転稼動するローラー状の前記押圧部を備えていることを特徴とする。
この情報取得システムによれば、情報記録カードに備えられた突起部が、水平方向及び垂直方向の内、何れか一方向、若しくは、両方向に於いて、同一線上に該突起部が複数設けられない構成を有しており、ローラー状の押圧部を備えた入力補助具を用いて、同一線上に突起部が複数設けられていない方向と並行に情報記録カードを押圧することによって、例えばアナログ方式の抵抗膜式タッチパネル等、同時に複数の押圧を検出することが出来ないタッチパネルを使用した場合に於いても、情報記録カードに設けられた突起部を一つずつタッチパネルに押圧することが出来る。
【００１９】
第１０発明に係る情報記録カードは、表裏両面の内、一方の面に複数の突起部を備え、前記突起部の数と設置位置を用いて所定情報が符号化された情報記録カードであって、押圧位置を検出可能なタッチパネルに前記突起部が押圧されることによって、符号化された所定情報が入力され、所定の復号処理によって復号化されることを特徴とする。
【００２０】
この情報記録カードによれば、突起部の数と設置位置を用いて情報記録カードに所定情報を符号化し、記録させることが可能であり、該突起部をタッチパネルに押圧することによって、符号化された所定情報をタッチパネルを介して入力することが可能となる。したがって、従来の２次元コードシステムに於いて採用されているように、光学機器を用いて２次元コードを入力する必要がない。
【００２１】
また、この情報記録カードは、第１０発明に係る情報記録カードに於いて、前記突起部の設置面に於いて所定数に分割された夫々の領域に、前記タッチパネルとの押圧面の面積が異なる前記突起部が形成され、前記所定情報の符号化に際して前記突起部の押圧面の面積がさらに用いられることを特徴とする。
【００２２】
この情報記録カードによれば、タッチパネルに押圧される突起部の面積をさらに用いて情報記録カードに所定情報を符号化し、記録させることが可能となる。したがって、情報記録カードに設けられた突起部の数と設置位置に加えて、タッチパネルに押圧される突起部の面積を符号化に使用することが出来るので、より多くの情報を符号化することが出来る。
【００２３】
また、この情報記録カードは、第１０発明に係る情報記録カードに於いて、高さの異なる前記突起部を有し、前記所定情報の符号化に際して前記突起部の高さがさらに用いられており、押圧時の圧力を検出可能な圧力センサをさらに備える前記タッチパネルに押圧されることを特徴とする。
【００２４】
この情報記録カードによれば、突起部の高さをさらに用いて情報記録カードに所定情報を符号化し、記録させることが可能となる。したがって、情報記録カードに設けられた突起部の数と設置位置に加えて、突起部の高さを符号化に使用することが出来るので、より多くの情報を符号化することが出来る。
【００２５】
また、この情報記録カードは、第１０発明に係る情報記録カードに於いて、前記突起部が設けられた面に於いて、水平方向及び垂直方向の内、少なくとも何れか一方向に於いて、同一線上に前記突起部を複数設けない構成を備えることを特徴とする。
この情報記録カードによれば、情報記録カードに備えられた突起部が、水平方向及び垂直方向の内、何れか一方向、若しくは、両方向に於いて、同一線上に該突起部が複数設けられない構成を有しているので、同一線上に突起部が複数設けられていない方向と平行に情報記録カードを押圧することによって、例えばアナログ方式の抵抗膜式タッチパネル等、同時に複数の押圧を検出することが出来ないタッチパネルを使用した場合に於いても、情報記録カードに設けられた突起部を一つずつタッチパネルに押圧することが出来る。
【００２６】
また、この情報記録カードは、第１０発明の何れか一つに係る情報記録カードに於いて、前記所定情報は、画像データ、音声データ、ＵＲＬ情報の内、少なくとも何れか一つを含むことを特徴とする。
【００２７】
この情報記録カードによれば、情報記録カードに符号化して記録された情報が、画像データ、音声データ、ＵＲＬ情報の内、少なくとも何れか一つを含むので、様々なデータの符号化に使用することが可能であり、非常に利便性が高い。なお、画像データとは、文字や図形に関する静止画データ、及び、動画データを含み、音声データとは、音声や音楽に関するデータを含み、ＵＲＬ情報とは、インターネット等のネットワーク上に分散しているファイル等の情報資源の格納場所を一意に指定するための情報である。
【００２８】
第１１発明に係るプログラムは、表裏両面の内、一方の面に複数の突起部を備え、前記突起部の数と設置位置を用いて所定情報が符号化された情報記録カードの前記突起部が、前記情報記録カードに於ける前記突起部が備えられた面と略同一の形状及びと面積を有するタッチパネルによって押圧された際に、前記突起部の押圧位置に関する検出値を取得する押圧位置検出手段と、前記押圧位置に関する検出値に基づいて前記タッチパネルに於ける押圧位置の座標データを形成する座標データ形成手段と、前記座標データを用いて所定の処理を施すことによって復号データを形成する復号データ形成手段と、前記復号データによって、前記所定情報を出力するデータ出力手段として、コンピュータを機能させることを特徴とする。
【００２９】
このプログラムによれば、押圧位置を検出可能なタッチパネルを用いることによって、突起部の数と設置位置を用いて情報記録カードに符号化された所定情報を入力し、復号化することが可能である。また、このプログラムを用いることによって、従来の２次元コードシステムに於いて２次元コードの入力に必要な光学機器を使用する必要がなく、タッチパネルを符号化された情報の入力に使用することが出来る。
【００３０】
第１２発明に係るプログラムは、第１１発明に係るプログラムに於いて、前記座標データ形成手段は、所定時間内に前記タッチパネルによって検出された前記突起部の複数の押圧位置をまとめて前記座標データを形成することを特徴とする。
このプログラムによれば、所定時間内にタッチパネルによって検出された複数の押圧位置をまとめて座標データを形成することが出来るので、例えばタッチパネルが同時に複数の押圧を検出することが出来ない場合や、タッチパネルが同時に複数の押圧を検出することは出来るが、情報記録カードに設置された突起部を同時にすべてタッチパネルに押圧することが出来ない場合に、押圧位置の全体情報を取得することが可能となる。
【００３１】
またこのプログラムは、第１１乃至１２発明の何れか一つに係るプログラムに於いて、さらに、前記タッチパネルが同時に複数の押圧を検出可能な場合に於いて、前記座標データを所定数の座標領域に分割し、前記座標領域の夫々に於いて検出される押圧位置に基づいて面積データを形成する面積データ形成手段として、コンピュータを機能させ、前記復号データ形成手段に於いて、前記面積データがさらに用いられることを特徴とする。
【００３２】
このプログラムによれば、タッチパネルが同時に複数の押圧を検出可能な場合に於いて、情報記録カードに設けられた突起部の数と設置位置に加えて、タッチパネルに押圧される突起部の面積をさらに用いて情報記録カードに符号化された所定情報を入力し、復号化することが可能となる。
【００３３】
また、このプログラムは、第１１乃至１２発明の何れか一つに係るプログラムに於いて、さらに、前記タッチパネルが押圧位置の圧力を検出可能な圧力センサを備える場合に於いて、前記圧力センサによって検出される前記突起部の押圧位置の圧力に基づいて圧力データを形成する圧力データ形成手段として、コンピュータを機能させ、前記復号データ形成手段に於いて、前記圧力データが用いられることを特徴とする。
【００３４】
このプログラムによれば、タッチパネルが押圧位置の圧力を検出可能な圧力センサを備える場合に於いて、情報記録カードに設けられた突起部の数と設置位置に加えて、タッチパネルに押圧される突起部の押圧位置に於ける圧力をさらに用いて情報記録カードに符号化された所定情報を入力し、復号化することが可能となる。
【００３５】
また、このプログラムは、第１１乃至１２発明の何れか一つに係るプログラムに於いて、前記所定情報は、画像データ、音声データ、ＵＲＬ情報の内、少なくとも１つを含むことを特徴とする。
【００３６】
このプログラムによれば、情報記録カードに符号化して記録された情報が、画像データ、音声データ、ＵＲＬ情報の内、少なくとも何れか一つを含み、該符号化されて記録された情報を復号化することが可能であるので、非常に利便性が高い。なお、画像データとは、文字や図形に関する静止画データ、及び、動画データを含み、音声データとは、音声や音楽に関するデータを含み、ＵＲＬ情報とは、インターネット等のネットワーク上に分散しているファイル等の情報資源の格納場所を一意に指定するための情報である。
【発明の効果】
【００３７】
本発明によれば、符号化されて記録された所定情報を光学機器を使用することなく、タッチパネルを介して入力、復号化をすることが可能な情報取得システムを提供することが出来る。
【発明を実施するための最良の形態】
【００３８】
（１）第１実施形態
[全体構成]
図１は、本実施形態に係る情報取得システム１に関する概略構成図である。情報取得システム１は、電子機器２と、カード３と、入力補助具４とを備えている。
【００３９】
電子機器２は、電源部５、操作キー６、第１表示部７、第２表示部８、タッチパネル９、スピーカ１０、マイク１１、メモリ１２、インターフェイス１３、リアルタイムクロック１４、通信ユニット１５、ＣＰＵ１６を備えており、これらはバス通信によって接続されている。
【００４０】
電源部５は、充電式の電池等の蓄電手段、電気回路を含んで構成され、電子機器２の各部に所定の電圧を供給する。なお、電源部５はＡＣアダプターを介して商用電源に接続される構成としてもよい。操作キー６は、十字キーや上下左右キー等、複数の入力キーを備えており、ユーザからの入力を受け付けてＣＰＵ１６に該入力結果を出力する。第１表示部７は、ＬＣＤや有機ＥＬ等で構成され、ＣＰＵ１６の制御によって所定の画像を出力する。第２表示部８は、ＬＣＤや有機ＥＬ等で構成され、ＣＰＵ１６の制御により所定の画像を出力する。タッチパネル９は、抵抗膜式の入力装置であり、一定の圧力以上で押圧された場合に押圧された地点を検出し、ＣＰＵ１６に該検出結果を出力する。なお、該タッチパネル９は、同時に検出可能な押圧地点は１つである。スピーカ１０は、ＣＰＵ１６の制御によって、所定の音声を出力する。マイク１１は、外部音声に所定の処理を施してデジタル信号に変換し、ＣＰＵ１６に出力する。
【００４１】
メモリ１２は所定の情報を予め記憶する不揮発性メモリ（例えば、ＲＯＭ）、所定の情報を記憶する不揮発性メモリ（例えば、フラッシュメモリ）、所定の情報を一時的に記憶する揮発性メモリ（例えば、ＲＡＭ）で構成されている。インターフェイス１３は、記憶媒体１３ａを電子機器２に接続するための接続部であり、インターフェイス１３を介して記憶媒体１３ａに記憶された情報をＣＰＵ１６に出力する。リアルタイムクロック１４は、時刻を計時する時計機能、年、月、日、曜日を計時するカレンダ機能、及び、所定時間を計測するカウンタ機能を備えている。通信ユニット１５は、ＣＰＵ１６の制御により、インターネット等のネットワークに接続可能な通信装置である。ＣＰＵ１６は、操作キー６、タッチパネル９、記憶媒体１３ａからの出力を受け付けると共に、第１表示部７、第２表示部８、スピーカ１０、マイク１１、メモリ１２、リアルタイムクロック１４、通信ユニット１５を制御する。
【００４２】
カード３は、所定の情報が符号化されて記憶されたカードである。カード３に記憶された所定の情報は、タッチパネル９によって入力される。
【００４３】
入力補助具４は、カード３に符号化されて記憶された所定の情報がタッチパネル９によって確実に入力されるようにするために使用される。
【００４４】
[タッチパネルの構成]  
図２（ａ）は、本実施形態に係る情報取得システム１に於けるタッチパネル９の模式図であり、図２（ｂ）はタッチパネル９の断面図である。このタッチパネル９は、個々の押圧地点ごとに別個に検出する。また、ＣＰＵ１６は、後述するように、所定時間内に検出した個々の押圧地点をまとめて座標データを作成する。
【００４５】
本実施形態に於けるタッチパネル９は、アナログ方式の抵抗膜式タッチパネルであり、フィルム９ａ、ＩＴＯ（Indium Tin Oxide）９ｂ、絶縁層９ｃ、ＦＰＣ(Flexible Printed Circuit)９ｄ、ドットスペーサ９ｅ、ガラス９ｆで構成されており、第２表示部８の画面上に設置されている。
【００４６】
フィルム９ａは、ポリエチレンテレフタレート（ＰＥＴ）等の素材で形成されたフィルムであり、ユーザによる押圧を受け付ける。ＩＴＯ９ｂは、面状抵抗膜電極であり、押圧側のフィルム９ａと非押圧側のガラス９ｆ上に、絶縁層９ｃを介して一定の間隔を設けて対向するように設置されている。なお、上部のＩＴＯ９ｂは、フィルム９ａがユーザの所定の圧力以上の押圧を受け付けると、該フィルム９ａと共に撓み、下部のＩＴＯ９ｂに接触する。絶縁層９ｃは、フィルム９ａ及びガラス９ｆ上に対向するように設置されたＩＴＯ９ｂが常時接触することを防ぐために設けられた絶縁スペーサである。ドットスペーサ９ｅは、タッチパネル９への入力時以外に上下のＩＴＯ９ｂが接触して誤作動を起こさないように、ガラス９ｆ上に設置されたＩＴＯ９ｂ上に一定間隔で形成されている。ＦＰＣ９ｄは、屈曲性のある回路基板であり、対向するように設置された上下のＩＴＯ９ｂの接触によって発生する電位をタッチパネル９に接続された入力検出処理部（図示せず）に出力し、該電圧に所定の処理を施してデジタル信号化し、ＣＰＵ１６に出力する。なお、タッチパネル９は、直下に設けられた第２表示部８に出力された画像を視認出来るように、一定以上の透過率を有する。
【００４７】
タッチパネル９による押圧地点の検出原理は、周知のアナログ方式の抵抗膜式タッチパネルと同様である。カード３がフィルム９ａ上に設置され、一定以上の圧力で押下されると、絶縁層９ｃを介して上下に設置されたＩＴＯ９ｂが接触し、上下ＩＴＯ９ｂ間に電位勾配が発生する。この時発生した電気信号をタッチパネル９に接続された入力検出処理部（図示せず）に於いて所定の演算を施すことにより、入力位置（座標）を算出する。
【００４８】
［カードの構成］
図３（ａ）及び（ｂ）は、本実施形態に係る情報取得システム１に於けるカード３に関する斜視図である。カード３は、板状部３ａと、複数の突起部３ｂを備えており、これらが樹脂成形で一体に形成されている。突起部３ｂの形状は、上面が円蓋の略円柱状であり、板状部３ａの一方の面に複数形成されている。蓋突起部３ｂの大きさは、夫々同一に形成されている。また、所定の情報が突起部３ｂの数と配置によって符号化されており、板状部３ａの突起部３ｂが形成された面（以降、裏面と称す）をタッチパネルと対向するように設置し、突起部３ｂが形成されていない面（以降、表面と称す）が所定の方法で押圧されることにより、カード３に形成された突起部３ｂの位置が夫々検出され、ＣＰＵ１６に出力される。なお、図３（ａ）に図示されたカード３では、突起部３ｂの配置に関して制限はないが、図３（ｂ）に図示されたカード３では、Ｘ軸方向、及び、Ｙ軸方向の内、少なくとも何れか一方の軸方向の同一線上に複数の突起部３ｂが形成されない構成となっている。
【００４９】
［入力補助具の構成］
図４（ａ）及び（ｂ）は、本実施形態に係る情報取得システム１に於ける入力補助具４の斜視図である。図４（ａ）に図示された入力補助具４は、ユーザが入力補助具４を把持し、操作可能にするための把持部４ａと、カード３を表面側から押圧するための略円柱状の押圧部４ｂとを備える。入力補助具４を使用して、タッチパネル９上に設置されたカード３を表面側から押圧することによって、タッチパネル９がカード３に形成された突起部３ｂの夫々の位置を確実に検出することが出来る。なお、図４（ａ）に図示された入力補助具４を使用する場合、図３（ａ）及び（ｂ）に図示されたカード３の内、何れを使用しても良い。
【００５０】
また、図４（ｂ）に図示された入力補助具４は、ユーザが把持し操作するための把持部４ａと、カード３を表面側から押圧するための押圧部４ｂとを備える。図４（ｂ）の入力補助具４に於ける押圧部４ｂは、略円柱のローラー形状となっている。ユーザは、入力補助具４を用いて、タッチパネル９に設置されたカード３を表面側から押圧し、把持部４ａを稼動方向にスライド移動させることによって、ローラー形状の押圧部４ｂが回転し、タッチパネル９に突起部３ｂの設置位置を確実に検出させることが出来る。なお、図４（ｂ）に図示された入力補助具４を使用する場合は、図３（ｂ）に図示されたカード３の突起部３ｂをタッチパネル９に検出させる場合に限定する。これは、図３（ａ）に図示されたカード３の突起部３ｂを図４（ｂ）に図示された入力補助具４を使用して押した場合、入力補助具４の押圧部４ｂを稼動方向に回転させながら押圧移動させた際に、押圧部４ｂの稼動方向と直行する軸方向に複数の突起部３ｂが存在すると、該複数の突起部３ｂを同時に押圧することになり、同時に複数の押圧を検出しない本実施形態に於けるタッチパネル９では、突起部３ｂの設置位置を正確に検出することが出来ないからである。
【００５１】
［情報取得方法］
図５は本実施形態に係る情報取得方法に関するフローチャートである。本実施形態に係る情報取得システム１に於けるメモリ１２に記憶された所定のプログラムが起動すると、ステップＳ１０１に於いて、ＣＰＵ１６の制御によって、第１表示部７にカード３の設置指示に関する画面が表示される。なお、該カード３の設置指示に関する画面を第２表示部８に出力させる構成としても良い。ステップＳ１０２に於いて、タッチパネル９上にカード３が設置され、突起部３ｂの位置が夫々検出された場合、ステップＳ１０３に移行する。なお、本実施形態に於いて、図３（ｂ）に図示されたカード３の突起部３ｂの位置を検出する場合には、図４（ａ）及び（ｂ）に図示された何れの入力補助具４を使用しても良いが、図３（ａ）に図示されたカード３の突起部３ｂの位置を検出する場合には、図４（ｂ）に図示された入力補助具４を使用することは出来ない。これは、上述の通り、本実施形態に於いてタッチパネル９は同時に複数入力することが出来ないからである。
【００５２】
ここで、ステップＳ１０２に於ける処理内容について、図６と、図７（ａ）乃至（ｃ）を参照して説明する。図６は、図５に図示されたフローチャートに於けるステップＳ１０２に関する処理を図示したフローチャートである。また、図７（ａ）はカード３がタッチパネル９上に押圧された際のタッチパネル上の位置を示す図であり、押圧地点を黒塗りで表現している。図７（ｂ）はタッチパネル９上の座標（Ｐ１１乃至Ｐｍｎ）に関する表であり、図７（ｃ）はカード３がタッチパネル９上に押圧された地点の座標に於ける検出値を示す表である。
【００５３】
ステップＳ１０２ａに於いて、タッチパネル９上にカード３が設置され、入力補助具４を用いてカード３を押圧すると、ステップＳ１０２ｂに移行し、複数の突起部３ｂが同時に押圧されたか否かが判定される。複数の突起部３ｂが同時に押圧された場合、ステップＳ１０２ｃに移行し、入力を無効化する入力エラー処理を実行し、ステップＳ１０２ｆに移行する。ステップＳ１０２ｂに於いて、一つの突起部３ｂが押圧された場合には、ステップＳ１０２ｄに移行して入力位置の検出を行う。この時、押圧が検出された場合は「１」、検出されない場合は「０」として検出信号をデジタル信号化する。例えば、図７（ａ）に図示されているように、タッチパネル９上の黒塗り部分の地点への押圧が検出された場合、図７（ｂ）に図示されたタッチパネル９上の座標、Ｐ２２には、図７（ｃ）に図示されているように「１」の値が割り当てられる。同様にして、押圧が検出されなかった地点の座標には、「０」が割り当てられる。該入力位置に関するデータは、メモリ１２の所定の領域に記憶され（Ｓ１０２ｅ）、ステップＳ１０２ｆに移行する。ステップＳ１０２ｆに於いて、メモリ１２に入力位置に関するデータが格納されてから、リアルタイムクロック１４によって時間が計測され、一定時間経過した場合、ステップＳ１０２ｇに移行する。ステップＳ１０２ｇに於いて、入力位置に関する既存のデータが存在する場合、ステップＳ１０２ｈに移行する。ステップＳ１０２ｈに於いて、ＣＰＵ１６がメモリ１２に記憶された入力位置に関する複数のデータを所定の処理によって結合し、総合的な座標データを作成し（以降、１次データと称する）、ステップＳ１０３に移行する。反対に、ステップＳ１０２ｇに於いて、入力位置に関する既存のデータが存在しない場合には、ステップＳ１０３に移行する。また、ステップＳ１０２ｆに於いて、一定時間が経過していない場合、ステップＳ１０２ｉに移行する。ステップＳ１０２ｉに於いて、再びカード３が押圧された場合、ステップＳ１０２ｂに移行し、突起部３ｂの検出フローを繰り返す。反対に、ステップＳ１０２ｉに於いて、カード３の押圧がなければ、ステップＳ１０２ｆに移行する。
【００５４】
そして、図５に図示されたステップＳ１０３に於いて、タッチパネル９を介して検出されたカード３の突起部３ｂの押圧位置に関する総合的な座標データ（１次データ）に基づいて、ＣＰＵ１６がデータに所定の処理を施し、復号データ（以降、２次データと称する）を形成する。
次に、ステップＳ１０４に於いて、２次データに所定のデータが含まれるか否かが判定される。なお、本実施形態に於いて、所定のデータとは画像データ、音声データ、及びＵＲＬ情報である。ここで記載する画像データは、文字や図形に関する画像データ、及び、動画データを含むものとし、音声データは、音声や音楽に関するデータを含むものとする。また、ＵＲＬ情報とは、インターネット等のネットワーク上に分散しているファイル等の情報資源の格納場所を一意に指定する情報である。
【００５５】
ステップＳ１０４に於いて、２次データに所定のデータが含まれない場合、ＣＰＵ１６によって、第１表示部７に警告表示が出力され（Ｓ１０５）、ステップＳ１０１に戻る。ステップＳ１０４に於いて、２次データに所定のデータが含まれる場合、ステップＳ１０６に移行し、２次データに画像データが含まれているか否かが判定される。画像データが含まれる場合、ステップＳ１０７に於いて、ＣＰＵ１６が該画像データをメモリに一時的に記憶させ、ステップＳ１０８に移行する。反対に、ステップＳ１０６に於いて、画像データが含まれない場合、ステップＳ１０８に移行する。ステップＳ１０８に於いて、音声データが含まれている場合、ＣＰＵ１６が該音声データをメモリに一時的に記憶させ（Ｓ１０９）、ステップＳ１１０に移行する。反対に、ステップＳ１０８に於いて、音声データが含まれていない場合、ステップＳ１１０に移行する。ステップＳ１１０に於いて、ＵＲＬ情報が含まれている場合、ＣＰＵ１６が該ＵＲＬ情報をメモリに一時的に記憶させ（Ｓ１１１）、ステップＳ１１２に移行する。反対に、ステップＳ１１０に於いて、ＵＲＬ情報が含まれていない場合、ステップＳ１１２に移行する。この場合、前述のステップＳ１０４に於いて、画像データ、音声データ、ＵＲＬ情報の何れかのデータが含まれているという条件を満たしているので、ステップＳ１１０に於いてＵＲＬ情報が含まれていないとしても、少なくとも画像データ若しくは音声データの何れかのデータが含まれていることになる。したがって、データにＵＲＬ情報が含まれていない場合には、ステップＳ１１２に移行する。ステップＳ１１２に於いて、画像データが含まれている場合は、該画像データを第１表示部７に出力する処理を行い、音声データが含まれている場合には、該音声データをスピーカ１０から出力する処理を行い、ＵＲＬ情報が含まれている場合には、通信ユニット１５を用いてＵＲＬ情報で指定されるネットワーク上の所定の場所と通信し、当該所定の場所から画像及び／又は音声データを取得してメモリ１２に記憶し、メモリ１２から画像及び／又は音声データを第１表示部７及び／又はスピーカ１０に出力する。例えば、該ＵＲＬ情報をＷＥＢブラウザに入力して、インターネット等のネットワークを介して所定のＷＥＢサイトにアクセスし、該ＷＥＢサイトを表示するために所定ファイルをメモリにダウンロードする処理を行う。
【００５６】
但し、画像データ、音声データ、ＵＲＬ情報の内、２種類以上のデータが含まれている場合には、データに記録されている出力順序に従って、データを出力する処理を実行する。ステップＳ１１２の処理が完了すると、ステップＳ１０１に戻る。
【００５７】
［作用効果］
本実施形態に係る情報取得システム１によれば、押圧位置を検出可能なタッチパネル９を用いることによって、突起部３ｂの数と設置位置を用いてカード３に符号化され、記憶された所定情報を入力し、復号化することが可能である。したがって、入力装置としてのタッチパネルを符号化された情報の入力に於いても使用することが出来るので、従来の２次元コードシステムに必要な光学機器を新たに設置する必要がない。
また、本実施形態に係る情報取得システム１によれば、アナログ方式の抵抗膜式タッチパネルが使用されており、該市場に広く普及しているタッチパネルを使用することが出来るので、非常に汎用性が高い。
【００５８】
また、本実施形態に係る情報取得システム１によれば、カード３に設置された突起部３ｂをタッチパネル９に押圧する際に、入力補助具４を使用することにより、タッチパネル９に突起部３ｂを確実に押圧することが出来る。
【００５９】
また、本実施形態に係る情報取得システム１によれば、タッチパネル９によって所定時間内に検出された複数の押圧位置をまとめて座標データを形成することが出来るので、本実施形態で使用されるアナログ方式の抵抗膜式タッチパネル９のように、同時に複数の押圧を検出することが出来ないタッチパネルが使用される場合に於いても、押圧位置の全体情報を取得することが可能となる。
【００６０】
また、本実施形態に係る情報取得システム１によれば、カード３に備えられた突起部３ｂが、水平方向及び垂直方向の内、何れか一方向、若しくは、両方向に於いて、同一線上に複数設けられない構成を有している場合には、ローラー状の押圧部４ｂを備えた入力補助具４を用いて、同一線上に突起部が複数設けられていない方向と平行にカード３を押圧稼動させることによって、本実施形態で使用されるアナログ方式の抵抗膜式タッチパネル９のように、同時に複数の押圧を検出することが出来ないタッチパネルが使用される場合に於いても、カード３に設けられた突起部３ｂを一つずつタッチパネル９に押圧することが出来る。
【００６１】
また、本実施形態に係る情報取得システム１によれば、カード３に符号化されて記録された所定情報が画像データを含む場合に、第１表示部７から該画像データを自動的に出力することが出来るので、非常に利便性が高い。なお、画像データとは、文字や図形に関する静止画データ、及び、動画データを含むデータである。
【００６２】
また、本実施形態に係る情報取得システム１によれば、カード３に符号化されて記録された所定情報が音声データを含む場合に、スピーカ１０から該音声データを自動的に出力することが出来るので、非常に利便性が高い。なお、音声データとは、音声や音楽に関するデータを含むものとする。
【００６３】
また、本実施形態に係る情報取得システム１によれば、カード３に符号化されて記録された所定情報がＵＲＬ情報を含む場合に、通信ユニット１５を介してインターネット等のネットワークにアクセスし、該ＵＲＬに対応する所定のウェブサイトを第１表示部７に自動的に出力することが可能であるので、非常に利便性が高い。なお、ＵＲＬ情報とは、インターネット等のネットワーク上に分散しているファイル等の情報資源の格納場所を一意に指定する情報である。
【００６４】
なお、上記では、画像データ、音声データ、ＵＲＬ情報自体がカード３に記憶されている場合を説明したが、画像データ、音声データ、ＵＲＬ情報を指定する指定情報をカード１０１に記憶し、電子機器２の内部又は外部の記憶部に指定情報と画像データ、音声データ、ＵＲＬ情報とを対応させたテーブルを記憶しておいても良い。この場合、電子機器２は、カード３から指定情報を取得し、テーブルを参照して指定情報に対応する画像データ、音声データ又はＵＲＬ情報を抽出し、表示部又は音声出力部に出力する。このような情報処理システムによれば、画像データ、音声データ、ＵＲＬ情報自体をカード３に記憶する場合に比較して、表示部又は音声出力部に出力する情報量に対するカード３への記憶量を節約することができる。また、カード３に記憶されている指定情報を更新しなくても、記憶部のテーブルにおける画像データ、音声データ、ＵＲＬ情報を更新することより、カード３の指定情報に基づく情報（画像データ、音声データ、ＵＲＬ情報）を最新状態に保つことができる。
【００６５】
［変形例］
（ａ）上記実施形態では、カード３から取得した情報をメモリ１２に一時記憶して、第１表示部７、スピーカ１０に出力する処理としたが、カード３から取得した情報をメモリ１２の不揮発性領域に記憶することによって、メモリ１２に記憶されているデータを選択して出力できるような構成としても良い。即ち、カード３から取得した情報をメモリ１２の不揮発性領域に記憶し、ユーザによる操作キー６への入力に基づいて、第１表示部７やスピーカ１０に出力するようにしても良い。このようにすれば、カード３に記憶されている情報を第１表示部７やスピーカ１０に出力させる度に、カード３から情報の取得処理を行う必要がない。即ち、カード３から情報を一度取得すれば、取得した情報を繰り返し使用することが出来る。また、メモリ１２に記憶した情報を通信ユニット１５を介して他の電子機器との間で交換することも可能である。
【００６６】
（ｂ）上記実施形態では、電子機器２に於いてゲームソフトを実行する場合に、カード３から読み出した情報をゲームソフトとリンクさせることが出来る。例えば、ゲームのキャラクタ、ゲーム実行条件等をカード３に突起部３ｂの位置、数に基づいて記憶させておき、該カード３から電子機器２に読み出したゲームのキャラクタ、ゲーム実行条件をゲームソフトで使用すれば、ゲームソフトの内容をカード３の情報によって様々に変化させることが出来る。
【００６７】
（ｃ）上記実施形態では、カード３を名刺として利用し、会社の情報、氏名等の固有情報等をカード３に記憶させておけば、電子機器２で名刺の画像を表示させることができる。例えば、カード３にパスワードの情報も併せて記憶させておけば、カード３からは直接視認出来ない状態で名刺を所持し、必要な相手のみにパスワードを知らせることによってカード３の情報を読み取ることが可能である。この場合、図５に図示されたステップＳ１０１に於いて、カード３の設置指示とともに、パスワード情報の入力指示を表示し、ユーザからパスワード入力を受け付けるようにすれば良い。
【００６８】
（ｄ）上記実施形態では、カード３の突起部３ｂの数及び設置位置に関するデータを総合的にまとめて１次データを形成し、ＣＰＵ１６が１次データに所定の処理を施して２次データを形成する構成としたが、タッチパネル９によって突起部３ｂが検出される毎に１次データを形成しても良い。例えば、該構成に於いて、突起部３ｂがカード３上に於いて所定の図形を描画するように設置されており、突起部３ｂの配置を直接的に第１表示部７に出力する図形等の画像と関連付けている場合には、夫々の突起部３ｂの設置位置を検出する毎に、第１表示部７に図形を構成する一部分を順次表示することによって、第１表示部７に画像を徐々に描画させる演出的効果を得ることも可能である。
【００６９】
（２）第２実施形態
［全体構成］
第２実施形態の全体構成については、前述の第１実施形態の全体構成（図１参照）と略同一であるので、同一の部分に関しては説明を省略し、異なる部分についてのみ説明する。
【００７０】
タッチパネル９は、抵抗膜式の入力装置であり、一定の圧力以上で押圧された場合に押圧された地点を検出し、ＣＰＵ１６に該検出結果を出力する。なお、該タッチパネル９は、同時に複数の押圧地点を検出することが出来る。
【００７１】
［タッチパネルの構成］  
図８（ａ）は、本実施形態に係る情報取得システム１に於けるタッチパネル９の模式図であり、図８（ｂ）はタッチパネル９の断面図である。本実施形態に於けるタッチパネル９は、マトリクス方式の抵抗膜式タッチパネルであり、フィルム９ａ、ＩＴＯ（Indium Tin Oxide）９ｂ、絶縁層９ｃ、ＦＰＣ(Flexible Printed Circuit)９ｄ、ドットスペーサ９ｅ、ガラス９ｆで構成されており、第２表示部８の画面上に設置されている。
【００７２】
フィルム９ａは、ポリエチレンテレフタレート（ＰＥＴ）等の素材で形成されたフィルムであり、ユーザによる押圧を受け付ける。ＩＴＯ９ｂは短冊状抵抗膜電極であり、押圧側のフィルム９ａ上と、非押圧側のガラス９ｆ上に、夫々複数のＩＴＯ９ｂが長手方向と直交する方向に一定間隔で並んで形成されている。また、フィルム９ａ上に形成されたＩＴＯ９ｂと、ガラス９ｆ上に形成されたＩＴＯ９ｂは、絶縁層９ｃを介して一定の間隔を設けて対向するように設置されており、該短冊状のＩＴＯ９ｂが交差した箇所全てが独立したスイッチとして機能する。絶縁層９ｃは、フィルム９ａ及びガラス９ｆ上に対向するように設置されたＩＴＯ９ｂが常時接触することを防ぐために設けられた絶縁スペーサである。ドットスペーサ９ｅは、タッチパネル９への入力時以外に上下のＩＴＯ９ｂが接触して誤作動を起こさないように、ガラス９ｆ上に設置されたＩＴＯ９ｂ上に一定間隔で形成されている。ＦＰＣ９ｄは、屈曲性のある回路基板であり、対向するように設置された上下のＩＴＯ９ｂの接触により発生する電気信号をタッチパネル９に接続された入力検出処理部（図示せず）に出力する。なお、タッチパネル９は、直下に設けられた第２表示部８に出力された画像を視認出来るように、一定以上の透過率を有する。
【００７３】
タッチパネル９による押圧位置の検出原理は、周知のマトリクス方式の抵抗膜式タッチパネルと同様である。カード３がフィルム９ａ上に設置され、一定以上の圧力で押下されると、絶縁層９ｃを介して上下に設置された短冊状のＩＴＯ９ｂが接触し、電気信号を発生する。該接触時に「ＯＮ」の状態となったＩＴＯ９ｂを検出することによって、Ｘ軸方向及びＹ軸方向の入力位置を特定することが可能となる。
【００７４】
なお、本実施形態に於いて記載されたタッチパネル以外であっても、同時に複数入力を検出可能なタッチパネルであれば、代用することが可能である。例えば、図９（ａ）乃至（ｂ）は、同時に複数入力可能なタッチパネル９の一例である。なお、前述の図８（ａ）乃至（ｂ）に図示されたタッチパネル９と同一の構成については、同一符号を付しており、ここでは説明を省略する。図９（ａ）乃至（ｂ）に記載されたタッチパネル９は抵抗膜式の入力装置であり、フィルム９ａ上に面状抵抗膜電極であるＩＴＯ９ｂが形成され、ガラス９ｆ上に、Ｘ軸及びＹ軸方向に所定数に分割された抵抗膜電極であるＩＴＯ９ｂが形成されている。フィルム９ａ及びガラス９ｆ上に夫々形成されたＩＴＯ９ｂは、絶縁層（図示せず）を介して、一定間隔が設けられた状態で対向して設置されている。また、図９（ｂ）に図示されているように、ガラス９ｆ上に形成されたＩＴＯ９ｂは、外部接続用のＦＰＣ（図示せず）に接続するための引き出し線９ｇが接続されている。したがって、フィルム９ａが所定の圧力以上で押圧され、フィルム９ａ上に形成されたＩＴＯ９ｂと、ガラス９ｆ上に形成されたＩＴＯ９ｂが接触する場合、ガラス９ｆ上に形成されたＩＴＯ９ｂの何れがフィルム９ａ上に形成されたＩＴＯ９ｂと接触したのかを特定することができ、また、複数地点を押圧された場合に於いても、フィルム９ａ上に形成されたＩＴＯ９ｂと接触したガラス９ｆ上に形成されたＩＴＯ９ｂを独立して検出することが出来るので、タッチパネル９上の複数の押圧地点を特定することが出来る。
【００７５】
［カードの構成］
本実施形態に係る情報取得システム１に於けるカード３は、前述の第１実施形態に係る情報取得システム１に於けるカード３（図３（ａ）乃至（ｂ）参照）を使用することが出来る。したがって、ここではカード３に関する説明を省略する。
【００７６】
［入力補助具の構成］
本実施形態に於いて、前述の第１実施形態に於ける入力補助具４（図４（ａ）及び（ｂ）参照）を使用することが出来る。したがって、ここでは入力補助具４に関する説明を省略する。なお、カード３の表面を一度に押圧することが出来る形状の入力補助具４（図示せず）を使用しても良く、入力補助具４を使用せずに、カード３の表側を指で押さえつける構成としても良い。
【００７７】
［情報取得方法］
本実施形態に係る情報取得方法に関するフローチャートは、前述の第１実施形態に係る情報取得方法に関するフローチャート（図５参照）と略同一である。しかし、ステップＳ１０２に於ける処理が第１実施形態に係る情報取得方法と異なるので、ここでは該相違点について説明する。
【００７８】
図１０は、本実施形態に係る情報取得方法に関するフローチャート（図５参照）のステップＳ１０２に関する内容を示すフローチャートである。また、図１１（ａ）はカード３がタッチパネル９上に押圧された際のタッチパネル上の位置を示す図であり、押圧地点を黒塗りで表現している。図１１（ｂ）はタッチパネル９上の座標（Ｐ１１乃至Ｐｍｎ）に関する表であり、図１１（ｃ）はカード３がタッチパネル９上に押圧された地点の座標に於ける検出値を示す表である。なお、図１０に図示されたフローチャートに於ける各ステップに付された記号については、前述の第１実施形態に係る情報取得方法に関するフローチャート（図６参照）と同一部分については、同一記号を付している。
【００７９】
図１０のステップＳ１０２ａに於いて、タッチパネル９上にカード３が設置され、カード３を押圧すると、ステップＳ１０２ｄに移行して入力位置の検出を行う。この時、押圧地点が検出された場合は「１」、検出されない場合は「０」として検出信号がデジタル信号化される。例えば、図１１（ａ）に図示されているように、タッチパネル９上の３つの黒塗り部分の地点への押圧が検出された場合、図１１（ｂ）に図示されたタッチパネル９上の座標、Ｐ１２、Ｐ３３、及び、Ｐ４１には、図１１（ｃ）に図示されているように「１」の値が割り当てられる。同様にして、押圧が検出されなかった地点の座標には、「０」が割り当てられる。該入力位置に関するデータは、メモリ１２の所定の領域に記憶され（Ｓ１０２ｅ）、ステップＳ１０２ｆに移行する。ステップＳ１０２ｆに於いて、メモリ１２に入力位置に関するデータが格納されてから、リアルタイムクロック１４によって時間が計測され、一定時間経過した場合、ステップＳ１０２ｇに移行する。ステップＳ１０２ｇに於いて、入力位置に関する既存のデータが存在する場合、ステップＳ１０２ｈに移行する。ステップＳ１０２ｈに於いて、ＣＰＵ１６がメモリ１２に記憶された入力位置に関する複数のデータを所定の処理によって結合し、総合的な座標データを作成し（以降、１次データと称する）、ステップＳ１０３に移行する。反対に、ステップＳ１０２ｇに於いて、入力位置に関する既存のデータが存在しない場合には、ステップＳ１０３に移行する。また、ステップＳ１０２ｆに於いて、一定時間が経過していない場合、ステップＳ１０２ｉに移行する。ステップＳ１０２ｉに於いて、再びカード３が押圧された場合、ステップＳ１０２ｄに移行し、突起部３ｂの検出フローを繰り返す。反対に、ステップＳ１０２ｉに於いて、カード３の押圧がなければ、ステップＳ１０２ｆに移行する。
【００８０】
［作用効果］
本実施形態に係る情報取得システム１によれば、押圧位置を検出可能なタッチパネル９を用いることによって、突起部３ｂの数と設置位置を用いてカード３に符号化され、記憶された所定情報を入力し、復号化することが可能である。したがって、入力装置としてのタッチパネルを符号化された情報の入力に於いても使用することが出来るので、従来の２次元コードシステムに必要な光学機器を新たに設置する必要がない。
【００８１】
本実施形態に係る情報取得システム１によれば、同時に複数の押圧を検出可能なマトリクス方式の抵抗膜式タッチパッド９を使用することによって、カード３に設置された複数の突起部３ｂの押圧位置をすべて同時に検出することが可能であるので、入力作業が容易であり、非常に利便性が高い。
【００８２】
また、本実施形態に係る情報取得システム１によれば、タッチパネル９によって所定時間内に検出された複数の押圧位置をまとめて一つの座標データを形成することが出来るので、タッチパネル９によってカード３に設置された突起部３ｂを同時にすべて押圧することが出来ない場合に、押圧位置の全体情報を取得することが可能となる。
【００８３】
また、本実施形態に係る情報取得システム１によれば、カード３に設置された突起部３ｂをタッチパネル９に押圧する際に、入力補助具４を使用することにより、タッチパネル９に突起部３ｂを確実に押圧することが出来る。
【００８４】
また、本実施形態に係る情報取得システム１によれば、カード３に符号化されて記録された所定情報が画像データを含む場合に、第１表示部７から該画像データを自動的に出力することが出来るので、非常に利便性が高い。なお、画像データとは、文字や図形に関する静止画データ、及び、動画データを含むデータである。
【００８５】
また、本実施形態に係る情報取得システム１によれば、カード３に符号化されて記録された所定情報が音声データを含む場合に、スピーカ１０から該音声データを自動的に出力することが出来るので、非常に利便性が高い。なお、音声データとは、音声や音楽に関するデータを含むものとする。
【００８６】
また、本実施形態に係る情報取得システム１によれば、カード３に符号化されて記録された所定情報がＵＲＬ情報を含む場合に、通信ユニット１５を介してインターネット等のネットワークにアクセスし、該ＵＲＬに対応する所定のウェブサイトを第１表示部７に自動的に出力することが可能であるので、非常に利便性が高い。なお、ＵＲＬ情報とは、インターネット等のネットワーク上に分散しているファイル等の情報資源の格納場所を一意に指定するための情報である。
【００８７】
［変形例］
（ａ）上記実施形態では、カード３から取得した情報をメモリ１２に一時記憶して、第１表示部７、スピーカ１０に出力する処理としたが、カード３から取得した情報をメモリ１２の不揮発性領域に記憶することによって、メモリ１２に記憶されているデータを選択して出力できるような構成としても良い。即ち、カード３から取得した情報をメモリ１２の不揮発性領域に記憶し、ユーザによる操作キー６への入力に基づいて、第１表示部７やスピーカ１０に出力するようにしても良い。このようにすれば、カード３に記憶されている情報を第１表示部７やスピーカ１０に出力させる度に、カード３から情報の取得処理を行う必要がない。即ち、カード３から情報を一度取得すれば、取得した情報を繰り返し使用することが出来る。また、メモリ１２に記憶した情報を通信ユニット１５を介して他の電子機器との間で交換することも可能である。
【００８８】
（ｂ）上記実施形態では、電子機器２に於いてゲームソフトを実行する場合に、カード３から読み出した情報をゲームソフトとリンクさせることが出来る。例えば、ゲームのキャラクタ、ゲーム実行条件等をカード３に突起部３ｂの位置、数に基づいて記憶させておき、該カード３から電子機器２に読み出したゲームのキャラクタ、ゲーム実行条件をゲームソフトで使用すれば、ゲームソフトの内容をカード３の情報によって様々に変化させることが出来る。
【００８９】
（ｃ）上記実施形態では、カード３を名刺として利用し、会社の情報、氏名等の固有情報等をカード３に記憶させておけば、電子機器２で名刺の画像を表示させることができる。例えば、カード３にパスワードの情報も併せて記憶させておけば、カード３からは直接視認出来ない状態で名刺を所持し、必要な相手のみにパスワードを知らせることによってカード３の情報を読み取ることが可能である。この場合、図５に図示されたステップＳ１０１に於いて、カード３の設置指示とともに、パスワード情報の入力指示を表示し、ユーザからパスワード入力を受け付けるようにすれば良い。
【００９０】
（ｄ）上記実施形態では、カード３の突起部３ｂの数及び設置位置に関するデータを総合的にまとめて１次データを形成し、ＣＰＵ１６が１次データに所定の処理を施して２次データを形成する構成としたが、タッチパネル９によって突起部３ｂが検出される毎に１次データを形成しても良い。例えば、該構成に於いて、突起部３ｂがカード３上に於いて所定の図形を描画するように設置されており、突起部３ｂの配置を直接的に第１表示部７に出力する図形等の画像と関連付けている場合、夫々の突起部３ｂの設置位置を検出する毎に、第１表示部７に図形を構成する一部分を順次表示することによって、第１表示部７に画像を徐々に描画させる演出的効果を得ることも可能である。
【００９１】
（３）第３実施形態
［全体構成］
第３実施形態の全体構成については、前述の第２実施形態の全体構成（図１参照）と同一であるので、ここでは説明を省略する。
【００９２】
［タッチパネルの構成］  
本実施形態に係る情報取得システム１に於けるタッチパネル９は、前述の第２実施形態に係る情報取得システム１に於けるタッチパネル９（図８（ａ）乃至（ｂ）、図９（ａ）乃至（ｂ）参照）と同一の構成を有するので、ここでは説明を省略する。
【００９３】
［カードの構成］
図１２は、本実施形態に係る情報取得システム１に於けるカード３に関する斜視図である。カード３は、板状部３ａと、複数の突起部３ｂを備えており、これらが樹脂成形で一体に形成されている。突起部３ｂの形状は、上面が円蓋の略円柱状であり、板状部３ａの一方の面に複数形成されている。本実施形態に於いては、突起部３ｂの大きさは、「大」、「小」、２種類の大きさを備えており、板状部３ａに於いて所定数に分割されたエリア３ｃ内に配置形成される。なお、各エリア３ｃ内に突起部３ｂが必ずしも形成される必要はない。該突起部３ｂの数、配置によって所定の情報が符号化されており、板状部３ａの突起部３ｂが形成された面（以降、裏面と称す）をタッチパネルと対向するように設置し、突起部３ｂが形成されていない面（以降、表面と称す）が所定の方法で押圧されることにより、突起部３ｂの数、押圧位置、及び、大きさ（押圧面積）が検出され、ＣＰＵ１６に出力される。
【００９４】
［入力補助具の構成］
本実施形態に係る情報取得システム１に於ける入力補助具４は、前述の第２実施形態に係る情報取得システム１に於ける入力補助具４（図４（ａ）乃至（ｂ）参照）と同一であるので、ここでは説明を省略する。なお、カード３の表面を一度に押圧することが出来る形状の入力補助具４（図示せず）を使用しても良く、入力補助具４を使用せずに、カード３の表側を指で押さえつける構成としても良い。
【００９５】
［情報取得方法］
本実施形態に係る情報取得方法に関するフローチャートは、前述の第２実施形態に係る情報取得方法に関するフローチャート（図５及び図１０参照）と略同一であるので、同一部分については説明を省略し、図５、図１０、図１３（ａ）乃至（ｆ）、及び図１４を参照して、相違点について説明する。
【００９６】
図１３（ａ）は、本実施形態に於けるカード３がタッチパネル９上に押圧された際のタッチパネル上の位置を示す図であり、押圧地点を黒塗りで表現している。図１３（ｂ）はタッチパネル９上の座標（Ｐ１１乃至Ｐｍｎ）に関する表であり、図１３（ｃ）はカード３がタッチパネル９上に押圧された地点の座標に於ける検出値を示す表である。図１３（ｄ）はカード３がタッチパネル９上に押圧された際のタッチパネル上の位置と、カード３に於いて所定数に分割されたエリア３ｃとの関係を示す図であり、押圧地点を黒塗りで表現している。また、破線で囲まれた矩形の領域がエリア３ｃと対応する。図１３（ｅ）はタッチパネル上のエリア３ｃに関する座標（Ｄ１１乃至Ｄｍｎ）を示す図であり、図１３（ｆ）はカード３上に於けるエリア３ｃの座標と夫々の座標に於ける押圧面積との関係を示す図である。また、図１４は本実施形態に係る情報取得方法に関するフローチャート（図５参照）に於けるステップＳ１０３の処理内容を示すフローチャートである。
【００９７】
図５に図示されているように、本実施形態に係る情報取得システム１に於けるメモリ１２に記憶された所定のプログラムが起動すると、ステップＳ１０１に於いて、ＣＰＵ１６の制御により、第１表示部７にカード３の設置指示に関する画面が表示される。ステップＳ１０２に於いて、タッチパネル９上にカード３が設置され、突起部３ｂの位置が夫々検出される。
【００９８】
ステップＳ１０２の処理内容を示す図１０に図示されているように、ステップＳ１０２ａに於いて、タッチパネル９上にカード３が設置され、カード３を押圧すると、ステップＳ１０２ｄに移行して入力位置の検出を行う。この時、押圧地点が検出された場合は「１」、検出されない場合は「０」として検出信号がデジタル信号化される。例えば、図１３（ａ）に図示されているように、タッチパネル９上の黒塗り部分の地点への押圧が検出された場合、図１３（ｂ）に図示されたタッチパネル９上の座標、Ｐ２２、Ｐ２３、Ｐ２４、Ｐ３２、Ｐ３３、Ｐ３４、Ｐ４２、Ｐ４３、Ｐ４４には、図１３（ｃ）に図示されているように「１」の値が割り当てられる。同様にして、押圧が検出されなかった地点の座標には、「０」が割り当てられる。該入力位置に関するデータは、メモリ１２の所定の領域に記憶され（Ｓ１０２ｅ）、ステップＳ１０２ｆに移行する。ステップＳ１０２ｆに於いて、メモリ１２に入力位置に関するデータが格納されてから、リアルタイムクロック１４によって時間が計測され、一定時間経過した場合、ステップＳ１０２ｇに移行する。ステップＳ１０２ｇに於いて、入力位置に関する既存のデータが存在する場合、ステップＳ１０２ｈに移行する。ステップＳ１０２ｈに於いて、ＣＰＵ１６がメモリ１２に記憶された入力位置に関する複数のデータを所定の処理によって結合し、総合的な座標データを作成し（以降、１次データと称する）、ステップＳ１０３に移行する。反対に、ステップＳ１０２ｇに於いて、入力位置に関する既存のデータが存在しない場合には、ステップＳ１０３に移行する。また、ステップＳ１０２ｆに於いて、一定時間が経過していない場合、ステップＳ１０２ｉに移行する。ステップＳ１０２ｉに於いて、再びカード３が押圧された場合、ステップＳ１０２ｄに移行し、突起部３ｂの検出フローを繰り返す。反対に、ステップＳ１０２ｉに於いて、カード３の押圧がなければ、ステップＳ１０２ｆに移行する。
【００９９】
そして、図５に図示されたステップＳ１０３に於いて、タッチパネル９を介して検出されたカード３の突起部３ｂの押圧位置に関する座標データ（１次データ）に基づいて、ＣＰＵ１６がデータに所定の処理を施し、復号データ（以降、２次データと称する）を形成する。
【０１００】
ここで、ステップＳ１０３の処理内容について説明する。前述の通り、本実施形態に於いて、カード３に形成された突起部３ｃは、板状部３ａに於いて所定数に分割されたエリア３ｃ内に配置されている。例えば、図１３（ｄ）に図示されているように、５行５列の押圧検出地点によって囲まれた領域をエリア３ｃと設定した場合、図１３（ｅ）に図示されているように、夫々のエリア３ｃをＤ１１乃至Ｄｍｎの何れか一つとして設定することができる。
【０１０１】
ステップＳ１０３ａに於いて、Ｄ１１から順にエリア３ｃ内に押圧地点が存在するか否かを判定する。Ｄ１１内に押圧地点が存在する場合、ステップＳ１０３ｃに移行する。ステップＳ１０３ｃに於いて、押圧地点が所定数以内である場合、ステップＳ１０３ｄに以降し、Ｄ１１に「１」の値を割り当て、ステップＳ１０３ｆに移行する。反対に、ステップＳ１０３ｃに於いて押圧地点が所定数を超える場合には、ステップＳ１０３ｅに移行し、Ｄ１１に「２」の値を割り当て、ステップＳ１０３ｆに移行する。なお、本実施形態に於いては、エリア３ｃ内で４つ以内の押圧地点が検出された場合には、該エリア３ｃに「１」の値を割り当て、５つ以上の押圧地点が検出された場合には、該エリア３ｃに「２」の値を割り当てている。言い換えれば、「１」の値を割り当てられたエリア３ｃでは、大きさが「小」の突起部３ｃが押圧され、「２」の値を割り当てられたエリア３ｃでは、大きさが「大」の突起部３ｃが押圧されたことになる。例えば、図１３（ｄ）に図示されているＤ１１に於いては、９つの地点が押圧されているので、Ｄ１１に「２」の値が割り当てられる。また、ステップＳ１０３ａに於いて、Ｄ１１内に押圧地点が存在しない場合には、ステップＳ１０３ｂに移行し、Ｄ１１に「０」の値を割り当て、ステップＳ１０３ｆに移行する。該「０」の値は、タッチパネル９に押圧された突起部３ｂが存在しないことを意味する。
【０１０２】
そして、ステップＳ１０３ｆに於いて、全てのエリア３ｃに対して、「０」乃至「２」の値の内、何れかの値が割り当てられたか否かが判定される。全てのエリア３ｃに「０」乃至「２」の値の内、何れかの値が割り当てられた場合には、ステップＳ１０３ｇに移行する。反対に、全てのエリア３ｃに「０」乃至「２」の値の内、何れの値も割り当てられていない場合には、ステップＳ１０３ａに移行する。
【０１０３】
ステップＳ１０３ｇに於いて、全てのエリア３ｃに割り当てられた値に関するデータベースを形成し、ステップＳ１０３ｈに移行する。ステップＳ１０３ｈに於いて、ステップＳ１０２で形成された１次データ（タッチパネル９で検出された突起部３ｂの数と検出位置に関するデータ）と上述のエリア３ｃに関するデータベースに基づいて、ＣＰＵ１６が所定の処理を施して、２次データを作成し、ステップＳ１０４に以降する。
【０１０４】
［作用効果］
本実施形態に係る情報取得システム１によれば、押圧位置を検出可能なタッチパネル９を用いることによって、突起部３ｂの数と設置位置を用いてカード３に符号化され、記憶された所定情報を入力し、復号化することが可能である。したがって、入力装置としてのタッチパネルを符号化された情報の入力に於いても使用することが出来るので、従来の２次元コードシステムに必要な光学機器を新たに設置する必要がない。
【０１０５】
本実施形態に係る情報取得システム１によれば、同時に複数の押圧を検出可能なマトリクス方式の抵抗膜式タッチパッド９を使用することによって、カード３に設置された複数の突起部３ｂの押圧位置をすべて同時に検出することが可能であるので、入力作業が容易であり、非常に利便性が高い。
また、本実施形態に係る情報取得システム１によれば、タッチパネル９によって所定時間内に検出された複数の押圧位置をまとめて一つの座標データを形成することが出来るので、タッチパネル９によってカード３に設置された突起部３ｂを同時にすべて押圧することが出来ない場合に、押圧位置の全体情報を取得することが可能となる。
【０１０６】
本実施形態に係る情報取得システム１によれば、カード３に設けられた突起部３ｂの数と設置位置に加えて、タッチパネルに押圧される突起部３ｂの押圧面積を所定情報の符号化に使用することが出来るので、より多くの情報を符号化することが可能となる。
また、本実施形態に係る情報取得システム１によれば、カード３に設置された突起部３ｂをタッチパネル９に押圧する際に、入力補助具４を使用することにより、タッチパネル９に突起部３ｂを確実に押圧することが出来る。
【０１０７】
また、本実施形態に係る情報取得システム１によれば、カード３に符号化されて記録された所定情報が画像データを含む場合に、第１表示部７から該画像データを自動的に出力することが出来るので、非常に利便性が高い。なお、画像データとは、文字や図形に関する静止画データ、及び、動画データを含むデータである。
【０１０８】
また、本実施形態に係る情報取得システム１によれば、カード３に符号化されて記録された所定情報が音声データを含む場合に、スピーカ１０から該音声データを自動的に出力することが出来るので、非常に利便性が高い。なお、音声データとは、音声や音楽に関するデータを含むものとする。
【０１０９】
また、本実施形態に係る情報取得システム１によれば、カード３に符号化されて記録された所定情報がＵＲＬ情報を含む場合に、通信ユニット１５を介してインターネット等のネットワークにアクセスし、該ＵＲＬに対応する所定のウェブサイトを第１表示部７に自動的に出力することが可能であるので、非常に利便性が高い。なお、ＵＲＬ情報とは、インターネット等のネットワーク上に分散しているファイル等の情報資源の格納場所を一意に指定するための情報である。
【０１１０】
［変形例］
（ａ）上記実施形態では、カード３から取得した情報をメモリ１２に一時記憶して、第１表示部７、スピーカ１０に出力する処理としたが、カード３から取得した情報をメモリ１２の不揮発性領域に記憶することによって、メモリ１２に記憶されているデータを選択して出力できるような構成としても良い。即ち、カード３から取得した情報をメモリ１２の不揮発性領域に記憶し、ユーザによる操作キー６への入力に基づいて、第１表示部７やスピーカ１０に出力するようにしても良い。このようにすれば、カード３に記憶されている情報を第１表示部７やスピーカ１０に出力させる度に、カード３から情報の取得処理を行う必要がない。即ち、カード３から情報を一度取得すれば、取得した情報を繰り返し使用することが出来る。また、メモリ１２に記憶した情報を通信ユニット１５を介して他の電子機器との間で交換することも可能である。
【０１１１】
（ｂ）上記実施形態では、電子機器２に於いてゲームソフトを実行する場合に、カード３から読み出した情報をゲームソフトとリンクさせることが出来る。例えば、ゲームのキャラクタ、ゲーム実行条件等をカード３に突起部３ｂの位置、数に基づいて記憶させておき、該カード３から電子機器２に読み出したゲームのキャラクタ、ゲーム実行条件をゲームソフトで使用すれば、ゲームソフトの内容をカード３の情報によって様々に変化させることが出来る。
【０１１２】
（ｃ）上記実施形態では、カード３を名刺として利用し、会社の情報、氏名等の固有情報等をカード３に記憶させておけば、電子機器２で名刺の画像を表示させることができる。例えば、カード３にパスワードの情報も併せて記憶させておけば、カード３からは直接視認出来ない状態で名刺を所持し、必要な相手のみにパスワードを知らせることによってカード３の情報を読み取ることが可能である。この場合、図５に図示されたステップＳ１０１に於いて、カード３の設置指示とともに、パスワード情報の入力指示を表示し、ユーザからパスワード入力を受け付けるようにすれば良い。
【０１１３】
（ｄ）上記実施形態では、カード３の突起部３ｂの数及び設置位置に関するデータを総合的にまとめて１次データを形成し、ＣＰＵ１６が１次データに所定の処理を施して２次データを形成する構成としたが、タッチパネル９によって突起部３ｂが検出される毎に１次データを形成しても良い。例えば、該構成に於いて、突起部３ｂがカード３上に於いて所定の図形を描画するように設置されており、突起部３ｂの配置を直接的に第１表示部７に出力する図形等の画像と関連付けている場合、夫々の突起部３ｂの設置位置を検出する毎に、第１表示部７に図形を構成する一部分を順次表示することによって、第１表示部７に画像を徐々に描画させる演出的効果を得ることも可能である。
【０１１４】
（４）第４実施形態
［全体構成］
第４実施形態に係る情報取得システム１の全体構成については、入力補助具４が含まれていない点を除いて、前述の第２実施形態の全体構成（図１参照）と略同一である。但し、電子機器２の構造について特筆すべき特徴があるので、ここでは該特徴について説明する。
【０１１５】
図１５（ａ）乃至（ｃ）は、本実施形態に係る情報取得システム１に関する斜視図である。図１５（ａ）に図示されているように、情報取得システム１の電子機器２は、非使用時に於いて、上部筐体２ａ及び下部筐体２ｂが閉じた状態になっている。そして、図１５（ｂ）に図示されているように、電子機器２の使用時に於いて、矢印の方向に上部筐体２ａを稼動させ、図１５（ｃ）に図示されているように、電子機器２の上部筐体２ａ及び下部筐体２ｂが所定の角度をなす状態まで開いて固定する。また、上部筐体２ａには第１表示部７が設置され、下部筐体２ｂには第２表示部が設置されており、上部筐体２ａ及び下部筐体２ｂを閉じた状態にする場合、第１表示部７と第２表示部８が対向するように配置される。なお、上部筐体２ａ及び下部筐体２ｂが閉じた状態では、対向する第１表示部と第２表示部との間に所定の間隔が設けられるものとする。
【０１１６】
［タッチパネルの構成］  
本実施形態に係る情報取得システム１に於けるタッチパネル９は、前述の第２実施形態に係る情報取得システム１に於けるタッチパネル９（図８（ａ）乃至（ｂ）、図９（ａ）乃至（ｂ）参照）と同一の構成を有するので、ここでは説明を省略する。
【０１１７】
［カードの構成］
本実施形態に係る情報取得システム１に於けるカード３は、前述の第２乃至第３実施形態に係る情報取得システム１に於けるカード３（図３（ａ）乃至（ｂ）、及び、図１２参照）、を使用することが出来る。但し、カードの厚みについては、電子機器２の上部筐体２ａ及び下部筐体２ｂを閉じた状態に於いて、対向する第１表示部及び第２表示部との間に設けられた間隔よりも僅かに大きい（略同一）ものとする。
【０１１８】
［入力補助具の構成］
前述の通り、本実施形態に係る情報取得システム１の構成に入力補助具は含まれていない。
【０１１９】
［情報取得方法］
本実施形態に係る情報取得方法は、前述の第２乃至第３実施形態に係る情報取得方法の何れの情報取得方法を採用しても良く、該情報取得方法と同一処理ステップを有する。但し、カード３の突起部３ｂを読み込ませる方法に相違点が見られるので、ここでは該相違点について説明する。
【０１２０】
本実施形態に於いて、カード３の突起部３ｂの位置をタッチパネル９で検出する際には、図１５（ｃ）に図示されているように、カード３を下部筐体２ｂに設置された第２表示部８上に設置し、上部筐体２ａを下部筐体２ｂ方向に稼動させ、上部筐体２ａ及び下部筐体２ｂを閉じた状態にする。この時、カード３の表側は第１表示部７から略均一の圧力で押圧されることになり、タッチパネル９によってカード３に形成された複数の突起部３ｂの数、設置位置、大きさ（押圧面積）が同時に検出される。
【０１２１】
［作用効果］
本実施形態に係る情報取得システム１は、前述の第２乃至第３実施形態に係る情報取得システム１が有する作用効果と同様の作用効果を奏する。
【０１２２】
さらに、本実施形態に係る情報取得システム１によれば、電子機器２が開閉可能な上部筐体２ａ及び下部筐体２ｂを備えており、下部筐体２ｂに設置されたタッチパネル９上にカード３を設置し、上部筐体２ａ及び下部筐体２ｂを閉じた状態にすることによって、カード３に設けられた突起部３ｂを一度にタッチパネル９に押圧することが可能となる。したがって、突起部３ｂのタッチパネル９への押圧を複数回繰り返すことなく、すべての突起部３ｂの押圧を容易に実行することが出来る。
【０１２３】
また、本実施形態に係る情報取得システム１によれば、入力補助具４を単体として設ける必要がなくなるので、ユーザにとって情報取得システム１の管理が容易になる。
【０１２４】
［変形例］
（ａ）上記実施形態では、カード３から取得した情報をメモリ１２に一時記憶して、第１表示部７、スピーカ１０に出力する処理としたが、カード３から取得した情報をメモリ１２の不揮発性領域に記憶することによって、メモリ１２に記憶されているデータを選択して出力できるような構成としても良い。即ち、カード３から取得した情報をメモリ１２の不揮発性領域に記憶し、ユーザによる操作キー６への入力に基づいて、第１表示部７やスピーカ１０に出力するようにしても良い。このようにすれば、カード３に記憶されている情報を第１表示部７やスピーカ１０に出力させる度に、カード３から情報の取得処理を行う必要がない。即ち、カード３から情報を一度取得すれば、取得した情報を繰り返し使用することが出来る。また、メモリ１２に記憶した情報を通信ユニット１５を介して他の電子機器との間で交換することも可能である。
【０１２５】
（ｂ）上記実施形態では、電子機器２に於いてゲームソフトを実行する場合に、カード３から読み出した情報をゲームソフトとリンクさせることが出来る。例えば、ゲームのキャラクタ、ゲーム実行条件等をカード３に突起部３ｂの位置、数に基づいて記憶させておき、該カード３から電子機器２に読み出したゲームのキャラクタ、ゲーム実行条件をゲームソフトで使用すれば、ゲームソフトの内容をカード３の情報によって様々に変化させることが出来る。
【０１２６】
（ｃ）上記実施形態では、カード３を名刺として利用し、会社の情報、氏名等の固有情報等をカード３に記憶させておけば、電子機器２で名刺の画像を表示させることができる。例えば、カード３にパスワードの情報も併せて記憶させておけば、カード３からは直接視認出来ない状態で名刺を所持し、必要な相手のみにパスワードを知らせることによってカード３の情報を読み取ることが可能である。この場合、図５に図示されたステップＳ１０１に於いて、カード３の設置指示とともに、パスワード情報の入力指示を表示し、ユーザからパスワード入力を受け付けるようにすれば良い。
【０１２７】
（５）その他の実施形態
図１６（ａ）乃至（ｂ）は、他の実施形態に係る情報取得システム１に関する概観斜視図であり、図１７は、他の実施形態に係る情報取得システム１に関するタッチパッド９の断面図であり、図１８（ａ）乃至（ｂ）は、他の実施形態に係る情報取得システム１に関するカード３の斜視図である。
【０１２８】
上述の通り、第１乃至第４実施形態に係る情報取得システム１は、第２表示部８を備え、タッチパネル９を第２表示部８の鉛直方向上部に重ねて設置する構成とした。これに比して、例えば図１６（ａ）に図示されているように、複数の表示部を設置することなく、第１表示部とタッチパネル９を重ねずに設置する構成としても良いし、図１６（ｂ）に図示されているように、複数の表示部を設置することなく、第１表示部７の鉛直方向上部にタッチパネル９を重ねて設置する構成としても良い。
【０１２９】
また、第２乃至第４実施形態に係る情報取得システム１に於けるタッチパネル９は、同時に複数の押圧地点を検出することが可能な抵抗膜式のタッチパネルである（図８（ｂ）参照）。これに比して、図１７に図示されたタッチパネル９は、ＩＴＯ９ｂとガラス９ｆの間に、フィルム９ａ、ドットスペーサ９ｅ、圧力センサ９ｈで構成される圧力検出層９ｉを加えた構成を有する。圧力センサ９ｈは、タッチパネル９が押圧された時点の圧力を検出し、該圧力に比例した電圧を生成することが可能である。この構成により、図１７に図示されたタッチパネル９を有する情報取得システム１では、カード３に形成された突起部３ｂが押圧された地点の座標だけでなく、押圧時の圧力を検出することが出来る。該タッチパネル９を使用した場合、図１８（ａ）乃至（ｂ）に図示されたカード３に形成された突起部１８ｂの押圧地点の検出をすることが出来る。図１８（ａ）乃至（ｂ）に図示されたカード３では、板状部３ｂ上に高さの異なる複数の突起部３ｂが形成されている。該高さの異なる突起部１８ｂが同時にタッチパネル９に押圧された場合、高さの低い突起部３ｂの押圧地点を検出するためには、高さの高い方の突起部３ｂに対してより大きな圧力がかかる。つまり、圧力センサ９ｈで検出された圧力が強いほど、突起部３ｂの高さが高いということが判定出来るので、突起部３ｂの高さの相違を所定の情報の符号化に使用することができ、カード３に符号化する情報量を増加させることが可能となる。
【図面の簡単な説明】
【０１３０】
【図１】第１実施形態に係る情報取得システムに関する概略構成図。
【図２】第１実施形態にタッチパネル９に関する模式図及び断面図。
【図３】第１実施形態に係るカード３に関する斜視図。
【図４】第１実施形態に係る入力補助具４に関する斜視図。
【図５】第１実施形態に係る情報取得方法に関するフローチャート。
【図６】第１実施形態に係る情報取得方法に於ける一部の処理ステップに関するフローチャート。
【図７】第１実施形態に係るタッチパネル９に於ける押圧位置の座標に関する図及び表。
【図８】第２実施形態に係るタッチパネル９に関する模式図及び断面図。
【図９】第２実施形態に係るタッチパネル９に関する模式図及び断面図。
【図１０】第２実施形態に係る情報取得方法に於ける一部の処理ステップに関するフローチャート。
【図１１】第２実施形態に係るタッチパネル９に於ける押圧位置の座標に関する図及び表。
【図１２】第３実施形態に係るカード３に関する斜視図。
【図１３】第３実施形態に係るタッチパネル９に於ける押圧位置の座標に関する図及び表。
【図１４】第３実施形態に係る情報取得方法に於ける一部の処理ステップに関するフローチャート。
【図１５】第４実施形態に係る情報入力システム１に関する斜視図。
【図１６】他の実施形態に係る情報入力システム１に関する斜視図。
【図１７】他の実施形態に係るタッチパネル９に関する斜視図。
【図１８】他の実施形態に係るカード３に関する斜視図。
【符号の説明】
【０１３１】
１      情報取得システム
２      電子機器
２ａ    上部筐体
２ｂ    下部筐体
３      カード
３ａ    板状部
３ｂ    突起部
４      入力補助具
４ａ    把持部
４ｂ    押圧部
５      電源部
６      操作キー
７      第１表示部
８      第２表示部
９      タッチパネル
９ａ    フィルム
９ｂ    ＩＴＯ
９ｃ    絶縁層
９ｄ    ＦＰＣ
９ｅ    ドットスペーサ
９ｆ    ガラス
９ｇ    引き出し線
９ｈ    圧力センサ
９ｉ    圧力検出層
１０    スピーカ
１１    マイク
１２    メモリ
１３    インターフェイス
１３ａ  記録媒体
１４    リアルタイムクロック
１５    通信ユニット
１６    ＣＰＵ
【図１】
2006185338.tif 000003
【図２】
2006185338.tif 000004
【図３】
2006185338.tif 000005
【図４】
2006185338.tif 000006
【図５】
2006185338.tif 000007
【図６】
2006185338.tif 000008
【図７】
2006185338.tif 000009
【図８】
2006185338.tif 000010
【図９】
2006185338.tif 000011
【図１０】
2006185338.tif 000012
【図１１】
2006185338.tif 000013
【図１２】
2006185338.tif 000014
【図１３】
2006185338.tif 000015
【図１４】
2006185338.tif 000016
【図１５】
2006185338.tif 000017
【図１６】
2006185338.tif 000018
【図１７】
2006185338.tif 000019
【図１８】
2006185338.tif 000020